(57)【要約】【課題】  ヒンジ部に、蓋体が容器本体から外れるような大きな負荷がかかった場合にも破損することなく、再度、簡単に蓋体を容器本体に連結することができるとともに、使用時にヒンジ部が邪魔にならないようにする。【解決手段】  容器本体４と蓋体５とからなる開閉式の容器２内に、転写テープを交換可能に組込んでなる塗膜転写具１において、蓋体４の周縁に、下方に向けて１対の弾性突片２６を設けるとともに、容器本体４の側壁８近傍の内側に、凹状取付部２９を設け、かつ弾性突片２６の下端２７を凹状取付部２９内に遊嵌し、弾性突片２６と凹状取付部２９のいずれか一方に設けた係止突起３１を、他方に設けた係合孔２４に係合させることにより、蓋体５を容器本体４に枢支して開閉自在とする。【選択図】        図４
2006248182.tif 000002
【特許請求の範囲】
【請求項１】
容器本体と蓋体とからなる開閉式の容器内に、転写テープを交換可能に組込んでなる塗膜転写具において、
蓋体の周縁に、下方に向けて１対の弾性突片を設けるとともに、容器本体の側壁近傍の内側に、凹状取付部を設け、かつ弾性突片の下端を凹状取付部内に遊嵌し、弾性突片と凹状取付部のいずれか一方に設けた係止突起を、他方に設けた係合孔に係合させることにより、蓋体を容器本体に枢支して開閉自在としたことを特徴とする塗膜転写具。
【請求項２】
容器本体と蓋体とからなる開閉式の容器内に、転写テープを交換可能に組込んでなる塗膜転写具において、
容器本体の周縁に、上方に向けて１対の弾性突片を設けるとともに、蓋体の側壁近傍の内側に、凹状取付部を設け、かつ弾性突片の下端を凹状取付部内に遊嵌し、弾性突片と凹状取付部のいずれか一方に設けた係止突起を、他方に設けた係合孔に係合させることにより、蓋体を容器本体に枢支して開閉自在としたことを特徴とする塗膜転写具。
【請求項３】
弾性突片の弾性を利用して、弾性突片における係止突起または係合孔を、凹状取付部の係合孔または係止突起に弾性的に係合させたことを特徴とする請求項１または２記載の塗膜転写具。
【請求項４】
蓋体を開いたときに、蓋体または容器本体における弾性突片が、容器本体または蓋体の側壁に衝突することのないように、前記側壁に、上端または下端が開口するスリットを設けたことを特徴とする請求項１〜３のいずれかに記載の塗膜転写具。
【発明の詳細な説明】
【技術分野】
【０００１】
本発明は、容器本体と蓋体とからなる開閉式の容器内に、転写テープを交換可能に組込んだ塗膜転写具に関する。
【背景技術】
【０００２】
転写テープを交換可能に組込んだ塗膜転写具における容器は、蓋体がヒンジ部によって容器本体に開閉自在に連結されている（たとえば、特許文献１）。
【０００３】
特許文献１に開示されている容器においては、ヒンジ部が、容器本体および蓋体を形成する合成樹脂材料をもって、それらと一体成形されており、ヒンジ部は、材料のヒンジ特性を利用している。
【０００４】
しかし、かかるヒンジ部は、蓋体を繰り返し開閉すると、劣化して破断する虞があるばかりでなく、ヒンジ部の耐久性を高めるためには、ポリプロピレン等のヒンジ特性に優れた材料を使用する必要があり、使用する材料が限定されるため、それだけ設計の自由度が低くなる。
【０００５】
また、図６に容器の要部拡大斜視図を示すような、開閉式の容器内に転写テープを交換可能に組込んだ塗膜転写具(01)が市販されている。
【０００６】
この容器(02)は、容器本体(03)の側壁(04)の外側に１対の支持突起(05)(05)を設けて、この支持突起(05)(05)における相互に対向する面(06)(06)に係止栓(07)(07)を設けるとともに、蓋体(08)の周縁(09)に、前記１対の支持突起(05)(05)の対向面(06)(06)間に嵌入しうる突条(010)を設けるとともに、その両端面(011)(011)に係合孔(012)(012)を設け、かつこの係合孔(012)(012)に前記係止栓(07)(07)を係合させることによって、ヒンジ部(013)を形成し、蓋体(08)を容器本体(03)に開閉自在に連結したものである。
【０００７】
しかし、かかるヒンジ部(013)の場合、蓋体(08)の開閉の際に、粗雑な取扱いなどにより、大きな負荷がかかると、係止栓(07)が破損して、蓋体(08)が容器本体(03)から外れてしまい修復できないという問題がある。さらに、容器(02)の外側に突出しているヒンジ部(013)が、使用時に手に当たり邪魔になるという問題もある。
【特許文献１】特開平８−１０４０４５号公報（図１，図４）
【発明の開示】
【発明が解決しようとする課題】
【０００８】
本発明は、前記の現状に鑑み、蓋体を繰り返し開閉しても、ヒンジ部が、その構成材料の劣化により破断するようなことがなく、また粗雑な取扱いによって、ヒンジ部に、蓋体が容器本体から外れるような大きな負荷がかかった場合にも、ヒンジ部が破損することなく、再度、簡単に蓋体を容器本体に連結することができるとともに、ヒンジ部が容器の外部に突出して、使用時にヒンジ部が手に当たって邪魔になるということがないようにした塗膜転写具を提供することを目的とする。
【課題を解決するための手段】
【０００９】
上記課題は、特許請求の範囲における各請求項に示すように、下記の構成を備える発明によって解決される。
(１)  容器本体と蓋体とからなる開閉式の容器内に、転写テープを交換可能に組込んでなる塗膜転写具において、蓋体の周縁に、下方に向けて１対の弾性突片を設けるとともに、容器本体の側壁近傍の内側に、凹状取付部を設け、かつ弾性突片の下端を凹状取付部内に遊嵌し、弾性突片と凹状取付部のいずれか一方に設けた係止突起を、他方に設けた係合孔に係合させることにより、蓋体を容器本体に枢支して開閉自在とした塗膜転写具とする。
【００１０】
(２)  容器本体と蓋体とからなる開閉式の容器内に、転写テープを交換可能に組込んでなる塗膜転写具において、容器本体の周縁に、上方に向けて１対の弾性突片を設けるとともに、蓋体の側壁近傍の内側に、凹状取付部を設け、かつ弾性突片の下端を凹状取付部内に遊嵌し、弾性突片と凹状取付部のいずれか一方に設けた係止突起を、他方に設けた係合孔に係合させることにより、蓋体を容器本体に枢支して開閉自在とした塗膜転写具とする。
【００１１】
(３)  上記(１)項または(２)項において、弾性突片の弾性を利用して、弾性突片における係止突起または係合孔を、凹状取付部の係合孔または係止突起に弾性的に係合させる。
【００１２】
(４)  上記(１)項〜(３)項のいずれかにおいて、蓋体を開いたときに、蓋体または容器本体における弾性突片が、容器本体または蓋体の側壁に衝突することのないように、前記側壁に、上端または下端が開口するスリットを設ける。
【発明の効果】
【００１３】
本発明によると、次のような効果が奏せられる。
請求項１記載の発明によれば、ヒンジ部が、材料のヒンジ特性を利用するものではなく、係止突起と係合孔の係合によって形成されているため、ヒンジ部の構成材料の劣化により破断するようなことがない。
また、ヒンジ部に、蓋体が容器本体から外れるような大きな負荷がかかった場合にも、ヒンジ部は破損することなく、弾性突片が弾性変形して単に係止突起と係合孔の係合が外れて、蓋体が容器本体から分離するだけであるので、再度、簡単に蓋体を容器本体に連結することができる。
さらに、ヒンジ部が容器の外側に突出していないため、使用時に突出したヒンジ部が手に当たり、邪魔になることもない。
【００１４】
請求項２記載の発明によれば、請求項１記載の発明と同様の効果が奏せられる。
【００１５】
請求項３記載の発明によれば、弾性を利用して係止突起と係合孔を係合させてあるため、係合状態の維持が良好となり、蓋体が無用に容器本体から外れることを防止することができる。
【００１６】
請求項４記載の発明によれば、スリットを介して、弾性突片が容器本体外まで回動されるので、蓋体を大きく開成することができるとともに、蓋体を閉じた状態で、容器本体の側壁に形成したスリットが、蓋体の弾性突片により塞がれるので、見栄えがよい。
【発明を実施するための最良の形態】
【００１７】
図１は、本発明の一実施形態を示す塗膜転写具の斜視図、図２は、図１に示す塗膜転写具の蓋体を開いた状態の斜視図、図３は、同じく、カートリッジを取り出した状態の斜視図である。
【００１８】
本発明の塗膜転写具(１)は、容器(２)と、この容器(２)内に装填されるカートリッジ(３)とよりなる。
【００１９】
容器(２)は、容器本体(４)と蓋体(５)とにより構成され、両者はヒンジ部(６)で連結されて、開閉自在となっている。
【００２０】
容器本体(４)は、底板(７)と、その周縁に上向きに立設された側壁(８)とによって構成され、周縁における前部斜下（図３における左斜下）の部分においては、側壁(８)は切欠かれて開口部(8a)とされている。
【００２１】
容器本体(４)には、供給ギヤ(９)、巻取ギヤ(10)、およびこれら両ギヤを連係する中間ギヤ(11)が設けられており、供給ギヤ(９)と巻取ギヤ(10)の両ボス部(12)(13)を介して、カートリッジ(３)が、容器本体(４)内に装填され固定されるようになっている。
【００２２】
カートリッジ(３)には、転写テープ(14)を巻回した供給リール(15)と、巻取リール(16)、および転写テープ(14)の塗膜を紙面等に転写するためのヘッド部(17)が設けられている。ヘッド部(17)には、不使用時に転写テープ(14)を保護するためのキャップ(18)が付設されている。
【００２３】
蓋体(５)は、容器本体(４)の底板(７)とほぼ同一形状をなす頂板(19)と、この頂板(19)の周縁に下向きに設けられた側壁(20)とによって構成され、側壁(20)のうち、容器本体(４)の側壁(８)の開口部(8a)と対向する部分は、同じように切欠かれて、開口部(20a)が形成されている。
【００２４】
蓋体(５)を閉じた状態において、容器本体(４)と蓋体(５)の両開口部(8a)(20a)により形成される窓孔(21)から、カートリッジ(３)のヘッド部(17)が外部に突出するようになっている。
【００２５】
容器本体(４)の底板(７)の要所には係止ピン(22)(23)が立設され、かつ蓋体(５)の頂板(19)における、前記係止ピン(22)(23)に対応する位置には係合孔(24)(25)が設けられており、蓋体(５)を閉じた状態において、係止ピン(22)(23)の上端が係合孔(24)(25)に嵌合して、蓋体(５)が無用に開かないようになっている。
【００２６】
図４は、図３における破線円Ａの部分の拡大斜視図、図５は、図４におけるＶ〜Ｖ線縦断面図である。
【００２７】
蓋体(５)の頂板(19)の周縁には、下方に向けて１対の弾性突片(26)(26)が設けられている。この弾性突片(26)(26)は、蓋体(５)の側壁(20)の内側に、側壁(20)に対して垂直な板状体を下方に向けて突設して形成されており、弾性突片(26)(26)の下端(27)は、前後方向（図４において左右方向）に弾性的に変形しうるようになっている。両弾性突片(26)(26)の互いに対向する面の反対側の外側面における下端近傍には、それぞれ係合孔(28)(28)が設けられている。なお、係合孔(28)(28)は、貫通孔と非貫通孔のいずれであってもよい。
【００２８】
容器本体(４)における側壁(８)の近傍の内側には、平面視において外向きコ字状の１対の凹状取付部(29)(29)が設けられている。この凹状取付部(29)(29)が対面する側壁(８)部分には、上端が開口するスリット(30)が設けられている。
【００２９】
蓋体(５)の弾性突片(26)の下端(27)は、凹状取付部(29)内に上方から遊嵌され、凹状取付部(29)における、弾性突片(26)の係合孔(28)と対向する位置には、係止突起(31)が設けられている。
【００３０】
前記係止突起(31)と係合孔(28)が係合して、ヒンジ部(６)が構成され、このヒンジ部(６)により、蓋体(５)が容器本体(４)に枢支されて、蓋体(５)は開閉自在となっている。
【００３１】
係止突起(31)を係合孔(28)に係合させる際には、弾性突片(26)の弾性を利用して、弾性的に係合させることにより、係合状態の維持が良好となる。
【００３２】
また、容器本体(４)の側壁(８)における、凹状取付部(29)と対向する部分には、スリット(30)が設けられているため、蓋体(５)を開く際に、弾性突片(26)を前記スリット(30)内に入り込ませて、大きく開放させることができる。
【００３３】
なお、前記実施形態においては、蓋体(５)に弾性突片(26)を設け、容器本体(４)に凹状取付部(29)を設けたが、逆に、蓋体(５)に凹状取付部、容器本体(４)に弾性突片を設けてもよい。
【００３４】
また、弾性突片(26)に係合孔(28)を設け、凹状取付部(29)に係止突起(31)を設けたが、逆に、弾性突片(26)に係止突起、凹状取付部(29)に係合孔を設けてもよい。
【図面の簡単な説明】
【００３５】
【図１】本発明の塗膜転写具の斜視図である。
【図２】図１に示す塗膜転写具の蓋体を開いた状態の斜視図である。
【図３】同じく、カートリッジを取り出した状態の斜視図である。
【図４】図３における破線円Ａの部分の拡大斜視図である。
【図５】図４におけるＶ〜Ｖ線縦断面図である。
【図６】従来の塗膜転写具の要部拡大斜視図である。
【符号の説明】
【００３６】
(１)塗膜転写具
(２)容器
(３)カートリッジ
(４)容器本体
(５)蓋体
(６)ヒンジ部
(７)底板
(８)側壁
(8a)開口部
(９)供給ギヤ
(10)巻取ギヤ
(11)中間ギヤ
(12)(13)ボス部
(14)転写テープ
(15)供給リール
(16)巻取リール
(17)ヘッド部
(18)キャップ
(19)頂板
(20)側壁
(20a)開口部
(21)窓孔
(22)(23)係止ピン
(24)(25)係合孔
(26)弾性突片
(27)下端
(28)係合孔
(29)凹状取付部
(30)スリット
(31)係止突起
(01)塗膜転写具
(02)容器
(03)容器本体
(04)側壁
(05)支持突起
(06)対向面
(07)係止栓
(08)蓋体
(09)周縁
(010)突条
(011)端面
(012)係合孔
(013)ヒンジ部
【図１】
2006248182.tif 000003
【図２】
2006248182.tif 000004
【図３】
2006248182.tif 000005
【図４】
2006248182.tif 000006
【図５】
2006248182.tif 000007
【図６】
2006248182.tif 000008